(57)【要約】
【課題】　外部から混入剤の水溶液の濃度を容易に知ることができ、交換や混入剤の補充時期を的確に判断することが出来る混入剤水溶液の供給器を提供する。
【解決手段】　混入剤８及び水が収容され、混入剤８が水に溶けて比重が１より大である水溶液が生成されるとともに外から内部が透視可能な混入剤収容室５に水溶液を放出するとともに水を取り入れる放出孔１０を設け、かつこの混入剤収容室５に上記水溶液の濃度変化に応じて浮沈する濃度表示フロート１２を収容し、上記濃度表示フロート１２が水溶液の濃度変化に応じて浮沈することにより、このフロート１２の位置を見て水溶液の濃度を容易に知ることができ、交換や混入剤の補充時期を的確に判断することが出来る。
【選択図】　図１
0003100133.tif 000002
【実用新案登録請求の範囲】
【請求項１】
　外から内部が透視可能であり、混入剤及び水が収容され、この混入剤が水に溶けて比重が１より大である水溶液が生成される混入剤収容室と、
　上記混入剤収容室に収容され、上記水溶液の濃度変化に応じて浮沈する濃度表示フロートと、
　この混入剤収容室に連通され、上記水溶液を水中に放出するとともに外から水を取り入れる放出孔と、
　を具備したこと特徴とする混入剤水溶液の供給器。
【請求項２】
　水中にある場合と空気中にある場合とに状況が変化される供給器本体と、
　上記供給器本体に設けられ、混入剤及び水が収容され、この混入剤が水に溶けて比重が１より大である水溶液を作るとともに、外から内部が透視可能な混入剤収容室と、
　上記混入剤収容室に収容され、上記水溶液の濃度変化に応じて浮沈する濃度表示フロートと、
　この混入剤収容室に連通し、上記混入剤収容室で作られた水溶液を所定量貯える計量室と、
　水中に投入した場合に水面より下に位置して上記計量室の下部位置に開口され、上記計量室の水溶液を水中に放出するとともに外から水を取り入れ、空中にある場合は水溶液の漏出を防止する放出孔と、
　を具備したこと特徴とする請求項１に記載の混入剤水溶液の供給器。
【請求項３】
　上記供給器本体は浮力発生手段を備え、この浮力発生手段により供給器本体が水中にある場合に上下方向に所定の姿勢を保つことを特徴とする請求項２に記載の混入剤水溶液の供給器。
【請求項４】
　上記濃度表示フロートは複数に区分され、これら区分がそれぞれ混入剤又は水溶液と異なる色に着色されていることを特徴とする請求項１ないし請求項３のいずれか一に記載の混入剤水溶液の供給器。
【請求項５】
　混入剤は水道水に含まれる残留塩素を中和する塩素中和剤であることを特徴とする請求項１ないし請求項４のいずれか一に記載の混入剤水溶液の供給器。
【考案の詳細な説明】
【技術分野】
【０００１】　本考案は、例えば浴槽、洗面器、洗面台、その他魚飼育水槽などに張った湯又は水中に置かれ、この湯や水に、塩素中和剤や芳香剤・酸化剤・アルカリ剤・皮膚化粧水・入浴剤・保湿剤などのような浄化剤・改質剤等の混入剤の水溶液を適量供給して水質を浄化・改良する等に適用可能な混入剤水溶液の供給器に関する。
【背景技術】
【０００２】
【特許文献１】特開２００１−４６８５９
　水道水には雑菌を滅菌消毒するため塩素が混入されているが、水道水に含まれる残留塩素（特に次亜塩素酸ＨＯＣｌなどの遊離残留塩素）は人の肌や毛髮に悪影響を及ぼし、このような残留塩素を多く含んだ風呂に入るのは健康によくないといわれている。
　このようなことから、水道水に含まれる残留塩素を取り除く、又は不活性な塩素化合物に変える手段が種々提案されている。水道水に含まれる残留塩素を化学的に中和する塩素中和剤として、アスコルビン酸（ビタミンＣ）、アスコルビン酸ナトリウム、亜硫酸カルシウム、亜硫酸ナトリウムなどが知られている。これら塩素中和剤は、残留塩素と化学反応して残留塩素を不活性な塩素化合物に変える。この場合、これら塩素中和剤は残留塩素と化学反応する物質であるから、水道水に対し残留塩素の濃度に見合う量を混合してやればよい。
　このようなことから、本出願人は特開２００１−４６８５９に開示されている水中投入形混入剤水溶液の供給器を提案した。
　この混入剤水溶液の供給器は、例えば浴槽、洗面器、洗面台、その他水槽などに張ったお湯又は水に投入すると、放出孔が水中に浸漬し、計量室に貯えられていた所定量の水剤溶液、例えばビタミンＣ水溶液がこの放出孔を通じて外分の水に放出され、よってビタミンＣ水溶液を水槽内の水に混入させることができる。また、供給器を水中から引き上げると、放出孔が空気に臨み、このとき放出孔から内部の水溶液が漏れ出そうとしても計量室及び混入剤収容室は密閉構造であるから内部が負圧になろうとして水溶液の漏出を防止する。
　上記供給器より放出される水溶液の量は計量室に貯えられていた水溶液の量に相当し、よって計量室内の容積を１回の放出量分に設定しておけば、１回ごとに必要な最適量の水溶液を供給することができる。また、計量室では外部から水が入ることにより水溶液の濃度が低下するが、計量室は混入剤収容室と連通しており、水中から引き上げておいた場合に混入剤収容室内の濃い水溶液が計量室に流入し、よって次回に使用する分の水溶液を計量室に貯えておくことができる。
　したがって、このような構造であれば、使用するたびに浴槽や洗面器、洗面台又は各種水槽などに投入すれば、これら水槽に張られた水の量に見合った適切な量の混入剤水溶液を放出することができ、さらに不使用時には水槽から引き上げておけば水溶液の漏れを防止できるなどの利点がある。
【考案の開示】
【考案が解決しようとする課題】
【０００３】　ところで、この種の供給器では、数１０回〜数１００回繰り返して使用できることが望ましく、このため混入剤収容室を所定量の容積とし、ここに過剰のビタミンＣ粉末を充填しておき、この粉末を水で溶かして水溶液を作るようになっている。そして、１回使用する度に外部から入ってきた水でビタミンＣの粉末を溶かして水溶液を補充するようになっている。ちなみに、ビタミンＣの粉末１ｇは３〜４ｍＬの水に溶ける性質があり、濃度２５〜３０％程度で飽和水溶液になる。
　混入剤収容室に粉末が残っている場合は、この余剰の粉末は外から見えるので、まだ使用可能な状態であることを確認できる。
　しかしながら、粉末が溶けて見えなくなった場合は使用可能か否か判断できない。すなわち、粉末が残っているときの水溶液は飽和水溶液であるので濃度が高く、粉末がなくなった直後の水溶液も高い濃度であるため，まだ塩素中和能力をもっている。この状態から更に使用すると、水溶液は次第に薄くなり、ある濃度以下になれば塩素除去能力は落ちてしまう。
　つまり、粉末が溶けて見えなくなった後でも使用可能であるが、その使用可能か否かを判断する手段がなかった。
　このため、従来では、粉末が見えなくなった時点で粉末を補充するなどの対応をしており、この場合はまだ残っている濃度の高いビタミンＣ水溶液を無駄に捨てることになり、逆に粉末が見えなくなっても使用を続け、塩素除去効果のないレベルであっても使用し続けることがある、などの不具合があった。
　したがってこの考案の目的は、外部から混入剤の水溶液の濃度を容易に知ることができ、交換や混入剤の補充時期を的確に判断することが出来る混入剤水溶液の供給器を提供しようとするものである。
【課題を解決するための手段】
【０００４】　上記目的を達成するため本考案は、外から内部が透視可能であり、混入剤及び水が収容され、この混入剤が水に溶けて比重が１より大である水溶液が生成される混入剤収容室と、上記混入剤収容室に収容され、上記水溶液の濃度変化に応じて浮沈する濃度表示フロートと、この混入剤収容室に連通され、上記水溶液を水中に放出するとともに外から水を取り入れる放出孔と、を具備した混入剤水溶液の供給器が提供される。
　ここで混入剤とは、塩素中和剤や芳香剤・酸化剤・アルカリ剤・皮膚化粧水・入浴剤・保湿剤などのような水道水の浄化剤、改質剤等を含み、水に溶けるものである。また混入剤の形態としては、予め粉末や顆粒もしくはペレット形状をなした固形物であって、これが水に溶けるものであればよい。そして、混入剤収容室に収容する混入剤の量は、一回の水の注入のみでは溶けてしまわず、一部が溶けて残りは固形の形態で残っており、使用回数が重なるに連れて順次溶解する量であることが好ましい。いずれの場合でも、混入剤の水溶液は比重が１より大である。【０００５】　このような考案によれば、混入剤収容室内に収容した濃度表示フロートが、水溶液の濃度変化に応じて浮沈するので、このフロートの位置を見れば水溶液の濃度を判断することができる。このため、水溶液の濃度を容易に知ることができ、交換や混入剤の補充時期を的確に判断することが出来る。【０００６】　本考案の好ましい態様は、水中にある場合と空気中にある場合とに状況が変化される供給器本体と、上記供給器本体に設けられ、混入剤及び水が収容され、この混入剤が水に溶けて比重が１より大である水溶液を作るとともに、外から内部が透視可能な混入剤収容室と、上記混入剤収容室に収容され、上記水溶液の濃度変化に応じて浮沈する濃度表示フロートと、この混入剤収容室に連通し、上記混入剤収容室で作られた水溶液を所定量貯える計量室と、水中に投入した場合に水面より下に位置して上記計量室の下部位置に開口され、上記計量室の水溶液を水中に放出するとともに外から水を取り入れ、空中にある場合は水溶液の漏出を防止する放出孔と、を具備した混入剤水溶液の供給器が提供される。
　ここで水中に投入した場合というのは、水面に浮かぶ、水の底に沈んでいる又は水面と底との間を浮遊する、などの全ての場合を含む。【０００７】　このような構成によれば、この供給器を浴槽、洗面器、洗面台、その他水槽などに張ったお湯又は水の中におくと、計量室に連なる放出孔が水中に浸漬して計量室内の水溶液と外の水が接し、水溶液と外の水が比重差の影響で相互に入れ替わる。よって、計量室に貯えられていた水溶液が外に放出され、外の水に混ざる。この放出量は計量室に貯えた水溶液の量に相当し、計量室内の容量を１回分の放出量に設定しておけば、１回ごとに必要な最適量の水溶液を供給することができる。計量室では外部から水が入ることにより水溶液の濃度が低下するが、計量室は混入剤収容室と連通しているので、例えば水中から引き上げておいた場合に混入剤収容室内の濃い水溶液が比重差で計量室に流入し、よって次回に使用する分の水溶液を計量室に貯えることができる。
　そして、水中から引き上げた場合、放出孔が大気に臨むようになる。この場合、放出孔から内部の水溶液が漏れ出そうとするが、計量室及び混入剤収容室は密閉構造であり水溶液が満たされているので放出孔から溶液が出ようとすると内部が負圧になろうとし、この負圧により水溶液の漏出が防止される。なお、放出孔の大きさは、水中にある場合に水溶液と外部の水とが入れ替わり可能に通過するとともに、空中にある場合は水溶液の表面張力が作用して水溶液の漏出を防止する大きさである。
　このようなことから、１回使用するに必要な量の水溶液を確実に放出することが出来る。
　そして、この場合も、混入剤収容室内に濃度変化に応じて浮沈する濃度表示フロートを収容したので、このフロートの位置を見れば溶液の濃度を判断することができ、よって、混入剤溶液の濃度を容易に知ることができ、交換や混入剤の補充時期を的確に判断することが出来る。【０００８】　本考案の他の好ましい態様は、供給器本体に浮力発生手段を設け、この浮力発生手段により供給器が水中にある場合に上下方向の姿勢を保つように構成することである。
　このような構造の場合は、供給器が水中にある場合に上下方向に所定の姿勢になるから、放出孔を必ず水面下に位置させることができるとともに、放出孔よりも上に位置する計量室内の水溶液を比重差で放出孔を通じて外に供給することができる。
　さらに、濃度表示フロートは複数に区分され、これら区分がそれぞれ混入剤又は水溶液と異なる色に着色されていることが好ましい。
　このようなフロートであれば、色分けされているから見分け易く、外部よりフロートの位置を識別し易くなる。
　また、混入剤として、水道水に含まれる残留塩素を中和する塩素中和剤、例えばアスコルビン酸（ビタミンＣ）、アスコルビン酸ナトリウム、亜硫酸カルシウム、亜硫酸ナトリウムなどを用いた場合は、本考案の供給器を塩素中和用の浄水器として使用することができる。
【考案の効果】
【０００９】　　本考案によれば、混入剤収容室内に収容した濃度表示フロートが、水溶液の濃度変化に応じて浮沈するので、このフロートの位置を見れば水溶液の濃度を判断することができる。このため、水溶液の濃度を容易に知ることができ、交換時期や混入剤の補充時期を的確に判断することが出来る。よって、濃度の高い水溶液を無駄に捨てたり、逆に有効でない水溶液を使い続けるなどの不具合を防止することができる。
　また、濃度表示フロートは、水溶液の濃度、つまり比重に応じて浮き沈みする材料を選択すればよいので簡単な構造で実現できる。
【考案を実施するための最良の形態】
【００１０】　以下本考案について、浴槽に張った水（湯）の残留塩素を中和する浴槽用の水中投入形簡易浄水器に適用した実施例を図面にもとづき説明する。
　図１は浄水器を浴槽の水面に浮かべた状態の断面図、図２は図１中ＩＩ−ＩＩ線の断面図、図３は浴槽から引き上げてトレーに載せて置いた状態の断面図である。
　図において１は、本考案の供給器本体に該当する浄水器本体であり、この浄水器本体１は例えばＡＢＳ樹脂、ポリプロピレンなどのような耐熱性をもつ合成樹脂からなり、透明に形成されている。この浄水器本体１は、図１の姿勢における半球形の下半部２と、半球形の上半部３を互いに接合して全体として球形をなしている。
　下半部２には、直径箇所に設けられた仕切り壁４にて区画された混入剤収容室５が形成されている。この混入剤収容室５の底部には、混入剤充填口６，６が形成されており、これら充填口６，６はねじ込み式キャップ７，７により気密に閉塞されるようになっている。これら充填口６，６を通じて混入剤収容室５に、本考案の混入剤に相当する塩素中和剤としてのアスコルビン酸（ビタミンＣ）が粉末８の形態で収容される。また、混入剤収容室５内の空気はこれら充填口６，６より外部に放出されるようになっており、これら充填口６，６は空気抜き口を兼ねている。
　また、混入剤収容室５の底部には、左右に延びる溝形の放出通路９が形成されている。この放出通路９の中心位置には放出孔１０が形成されている。この放出孔１０は、浄水器本体１が水中にあるときは、混入剤収容室５内の水溶液を外に放出すると同時に外の水を内部に導入するものであり、また浄水器本体１が空気中にあるときは水溶液の表面張力で水溶液が漏れ出ないような大きさに設定してあり、例えば直径５ｍｍ以下となっている。
　上記放出孔１０は、収容室５内で水溶液計量室１１にて覆われている。この計量室１１は前記仕切り壁４から垂下して一体に形成されており、吊り鐘形に形成されている。この計量室１１の下端は収容室５の底面から離れて開放端となっており、計量室１１は、この開放端を通じて収容室５に連通している。
　上記放出孔１０は、計量室１１の開放端よりも高い位置に開口されていて、計量室１１の内部に位置している。放出孔１０の位置と計量室１１の天井面との間の空間（高さＨで示す）は所定容積に設定されており、この空間が計量空間となっている。つまり、この計量空間に貯えられる水溶液の量が１回使用分、すなわち浴槽に張ったお湯に対し供給するのに見合う分となるように設定されている。その容積は、例えば２ないし５ｍｌ程度である。【００１１】　上記混入剤収容室５内には、この収容室５内の水溶液の濃度を表示する濃度表示フロート１２が収容されている。このフロート１２は、例えば球形をなしており、水溶液の濃度に応じて浮き沈みする。ビタミンＣの水溶液は、飽和濃度の場合比重が約１．１程度であり、一方水の比重は１．０として、上記フロート１２はこれら両者の間の比重、例えば１．０５程度となるように形成してある。本例の場合、フロート１２は、上半部を比重１．０４の合成樹脂で形成するとともに下半部を比重１．０６の合成樹脂で形成し、しかも白色のビタミンＣ粉末に対し識別を容易にするため白色以外の色で互いの色を変えてあり、これらを接合して全体が１．０５の比重となるように一体のフロートにしてある。このため、水溶液が飽和水溶液の場合フロート１２は浮いており、水溶液の濃度が所定濃度より下がって比重が１．０５未満になるとこのフロート１２は沈むようになっている。よって、フロート１２の浮き沈みの位置により水溶液の比重、つまり濃度を知ることができる。
　浄水器本体１を構成する半球形の上半部３には、気密な空気室１３が設けられており、この空気室１３は、浄水器本体１を水又はお湯に浮かべた場合、上半部３が上になり、下半部２が下に向くような姿勢に保つとともに、放出孔１０が水面より下に位置して水中に没するように浮力を与える役目をする。【００１２】　上記構成の実施例について、作用を説明する。
　使用する前に、図３に示すように、空中でキャップ７，７を外して充填口６，６を開く。この充填口６，６を通じて混入剤収容室５内にビタミンＣの粉末８を充填する。ビタミンＣの粉末８は、充填口６，６に達するまで満杯に入れ、この状態では例えば５０ｇ充填することができる。次に、図３にするように、充填口６，６を上向きにした姿勢で浄水器本体１全体を水に浸ける。すると、水が充填口６，６より収容室５内に侵入する。これにより収容室５内の空気は浮上し、充填口６，６を通じて外に逃げる。空気が完全に抜けたら水は充填口６，６の開口まで達するので，すなわち完全に空気抜きが終わり、この状態で、水の中でキャップ７，７を被着して収容室５を密封する。
　このようにして混入剤収容室５に水が注入されると、混入剤溶解室５に収容したビタミンＣの粉末８が一部溶解する。ビタミンＣの粉末８は吸水性、潮解性があるから水に混ぜると瞬時に溶解する。しかしながら、ビタミンＣ粉末８の溶解度は２５〜３０％程度であるから、ビタミンＣ粉末８の２５〜３０％が水に溶け、飽和状態に達しするので残りの粉末は溶けない。つまり、混入剤収容室５に収容したビタミンＣの粉末８は、飽和濃度に達するまでは水に溶けるが、それ以上の溶解は進まず、よって残りの粉末は溶解せずに粉末の状態で残る。
　ビタミンＣの水溶液は、飽和濃度の場合その比重がほぼ１．１である。このため、濃度差が発生すると、濃い水溶液が下に沈む性質がある。したがって、上記水を注入した後の浄水器を空気中に引き上げ、図３に示すように、キャップ６が上向きの姿勢で、例えば浴槽の縁などに置いておくことが好ましい。この場合、図３に示すようなトレー１４を用意しておき、このトレー１４に載せておけば球形をした浄水器が安定した姿勢を保つ。【００１３】　浄水器をキャップ７，７が上向きの姿勢で置いておくと、混入剤収容室５で溶解したビタミンＣの水溶液は比重差により、その一部が計量室１１の開放端を通じて計量室１１に流入する。計量室１１では、高濃度の水溶液が流入すると、それまで存在していた水又は濃度の低い水溶液は比重が小さいので上昇し、混入剤収容室５に流れ出る。すなわち、このような姿勢では、計量室１１内の水又は濃度の低い水溶液が濃度の高い水溶液と入れ替わり、計量室１１に濃度の高い水溶液を所定量貯えることになる。
　そして、浄水器が空気中にあるときは、放出孔１０が外の空気に臨んでいる。この状態では、混入剤収容室５内が気液密に保たれており、仮に放出孔１０から水溶液が漏出しようとしても混入剤収容室５内は負圧になろうとし、よって内外の圧力差で水溶液の漏洩を阻止する。これと同時に放出孔１０では水溶液と空気との界面で水溶液の表面張力が発生し、計量室１１から水溶液が漏れ出るのを防止する。つまり、放出孔１０の大きさは、上記表面張力によって水溶液が流れ出すのを防止するのに適した大きさにしてある。
　これにより、浄水器を空中に引き上げたときには、水溶液は流出しない。【００１４】　次に、浄水器を図１及び図２に示すように、浴槽などに張った水に投入する。すると、空気室１３の浮力作用により、浄水器本体１はキャップ７，７が下向きの姿勢で水に浮く。
　浄水器本体１の吃水線は空気室１３の浮力によって定まるが、この場合放出孔１０が水面より下にあり、つまり水中に位置する。よって、放出孔１０は浴槽に張った水の中に臨み、計量室１１内のビタミンＣ水溶液と外の水が連通する。この状態では、水溶液の比重が水より大きいので、計量室１１内の水溶液が重力によって放出孔１０から流出する。このとき、同時に外の水が放出孔１０より計量室１１に流入する。すなわち、放出孔１０を通じて水溶液の流出と水の流入が同時に起こり、水溶液と水が入れ替わる。
　外に流出した水溶液は、浴槽全体に拡がり、水に含まれる遊離残留塩素と反応し、これを中和することになる。【００１５】　上記放出孔１０から放出されるビタミンＣの水溶液は比重差により流れ出すことから、放出孔１０よりも上に位置したＨで示された領域、すなわち計量室１１に貯まっていた量の水溶液が流出する。計量室１１内の水溶液が流れ出してしまうと、この計量室１１には水が入り込むので放出孔１０の内外では濃度差及び比重差が無くなる、又は小さくり、水の入れ替わりが止まる。これにより水溶液の放出が終わる。このことから１回の使用分は、計量室１１内の容積に相当することになり、この容積を規制すれば１回の使用分、つまり浴槽一杯に必要とするの水溶液の放出量を制御することができる。
　ビタミンＣ水溶液の放出が終わると、浄水器本体１を引き上げ、図３に示すように、トレー１４に載せておけばよい。このとき、浄水器本体１は上下逆さになるので、前記したように、混入剤収容室５内の高濃度の水溶液が計量室１１に流れ込み、計量室１１内に高濃度の水溶液を貯える。これにより、計量室１１では次回に放出される分が補充される。また、計量室１１より混入剤収容室５に流れ込んだ水又は濃度の低い水溶液は、混入剤収容室５内に残っている未溶解の粉末８を溶かし、水溶液が飽和濃度に達するまで溶かす。よって、１回使用した分の粉末が溶解されることになる。【００１６】　上記のように、浄水器本体１を水中にある場合と水中から引き上げた場合とで上下逆転させるようにすれば、混入剤収容室５内の水溶液も上下反転されるので、水溶液が撹拌されることになる。このため、比重差により高濃度な水溶液が下に沈もうとする性質があっても、使用の度に撹拌されるので水溶液の濃度を一様にすることができ、放出する水溶液の濃度ばらつきを防止することができる。
　また、混入剤収容室５内に残留している未溶解のビタミンＣ粉末８は比重が大きいので下に沈もうとし、混入剤収容室５の底に堆積しようとする性質がある。これに対し浄水器本体１を水中にある場合と水中から引き上げた場合とで上下逆転させるようにすれば、図１と図３を比較して判る通り、未溶解の粉末８が収容室５内で上下に移動する。このためこの粉末８も撹拌され、よって一カ所に堆積するのが防止される。【００１７】　上記のような浄水器であれば、１回使用する毎にビタミンＣ水溶液の放出および粉末の溶解を繰り返すことになるから、混入剤収容室５に収容したビタミンＣの粉末８がなくなるまで、使用することができる。
　しかも、水溶液を一旦計量室１１に貯え、１回毎に計量室１１に貯えた水溶液を供給するから、浴槽に張った水道水に含まれる残留塩素を中和するのに必要かつ充分な量のビタミンＣ水溶液を精度良く供給することができる。よって、混入剤収容室５に収容したビタミンＣの量を有効に使うことができ、給水器を多数回に亘り使用することが可能になる。
　混入剤収容室５内の水溶液濃度が低くなると塩素除去能力が落ちるので、ビタミンＣの粉末を補充する。この補充手順は、最初にビタミンＣを補充するのと同様の主順で行う。【００１８】　ところで、混入剤収容室５には水溶液の比重変化に応じて浮沈する濃度表示フロート１２を収容してあるので、水溶液の濃度を知ることができる。
　すなわち、収容室５にビタミンＣの粉末８が未だ残っている場合は、収容室５内の水溶液濃度は飽和濃度であり、比重がほぼ１．１であるため、比重がほぼ１．０５に設定されたフロート１２は、それぞれの図で実線で示すように浮いている。収容室５のビタミンＣの粉末８が無くなった直後では、水溶液の濃度は未だ飽和濃度に近いので比重はほぼ１．１に近く、よってこのときもフロート１２は浮いている。
　さらに使用を重ねて収容室５内の水溶液が薄くなると、計量室１１で計量された所定量の水溶液では、浴槽一杯分に必要とするビタミンＣを供給できなくなる。この状態になると、例えば収容室５内の水溶液の比重が１．０５以下になれば各図の想像線で示すように、フロート１２は沈む。よって、フロート１２が沈めば、粉末の補充をすればよいことが判る。
　すなわち、フロート１２が浮いているか沈んでいるかを見れば、水溶液の濃度を知ることができる。このため、粉末が見えなくなった後でも塩素除去能力があるか否かを知ることができるので、粉末の補充タイミングを適切に知ることができる。
　したがって、従来のように、粉末が見えなくなった時点ですぐに粉末を補充したり、粉末が見えなくなっても使用を続け、塩素除去効果がないにも拘わらず使用を続ける、などの不具合を防止することができる。
　また、フロート１２は着色してあるからビタミンＣの白い粉末と区別しやすくて見易くなり、特に上下方向に区分して異なる色に着色しておくと一層識別が容易である。【００１９】　なお、前記実施例では、浄水器本体１の外形をそれぞれ球形にしたが、この形状は自由に変更可能であり、例えば鳥、魚、鯨などの動物、船、その他種々の形態が採用可能である。
　また、収容室５の内部が外から見える状態とは、透明、着色透明、または半透明などに構成することが可能である。
　さらに、フロート１２の形状も球形には限らない。
【図面の簡単な説明】
【００２０】
【図１】本考案の一実施例を示し、浴槽用投入形浄水器を水面に浮かべた状態の断面図
【図２】図１のＩＩ−ＩＩに沿う断面図
【図３】同実施例における浄水器を水中から引き上げてトレーに置いた状態の断面図
【符号の説明】
【００２１】１…浄水器本体
５…混入剤収容室
６…充填口
７…キャップ
８…ビタミンＣの粉末
１０…放出孔
１１…計量室
１２…濃度表示用フロート
【図１】
0003100133.tif 000003
【図２】
0003100133.tif 000004
【図３】
0003100133.tif 000005